(57)【要約】【課題】不正行為の検出精度を高めることができる遊技機を提供する。【解決手段】遊技盤２０に、第２の複合入球部が前側から取り付けられる。遊技盤２０の裏面に、第２の複合入球部に設けられた入球部に入球したパチンコ球が通過する排出通路が形成された球通路ユニット７５が取り付けられる。遊技盤２０には、遊技領域外の位置に、前後に開口する空間部９１が設けられる。球通路ユニット７５に設けられたセンサ設置部９４に、第１不正検出装置９２が取着される。そして、球通路ユニット７５を遊技盤２０に裏側から取り付けることで、センサ設置部９４が空間部９１に挿入されて第１不正検出装置９２の検出部９２ａが遊技盤２０の裏面より前側に位置するよう構成された。【選択図】図６
2016214417.tif 000002
【特許請求の範囲】
【請求項１】
遊技球が流下可能な遊技領域が前側に画成された遊技盤と、前記遊技盤の裏側に配設され、該遊技盤との間に収容空間を画成する設置部材とを備えた遊技機において、
前記収容空間に配置された遊技機構成部材と、
前記遊技機構成部材に配設され、不正行為を検出する不正行為検出手段と、
前記遊技盤における遊技領域外に設けられ、前記収容空間に連通する空間部とを備え、
前記不正行為検出手段は、前記遊技機構成部材を前記収容空間に配置することで、前記空間部に裏側から挿入されて該不正行為検出手段の検出部が前記遊技盤の裏面より前側に位置するよう構成された
ことを特徴とする遊技機。
【請求項２】
前記遊技盤に、前記遊技領域内に開口して遊技球が入賞可能な入賞部が設けられ、
前記遊技機構成部材における前記遊技盤の裏面より後側に、前記入賞部に入賞した遊技球が通過する球通路と、該球通路を通過する遊技球を検出する球検出センサとが設けられ、
前記遊技機構成部材に設けられて前記球検出センサより前側に突出する設置部に、前記不正行為検出手段が配設される請求項１記載の遊技機。
【請求項３】
前記遊技機構成部材は、前記遊技盤の裏面に位置決め固定される請求項１または２記載の遊技機。
【請求項４】
前記不正行為検出手段は、前記空間部に収容される請求項１〜３の何れか一項に記載の遊技機。
【請求項５】
前記空間部は、前記遊技盤の前後方向に開口するよう形成され、
前記空間部の前側を覆うように前記遊技盤の前面に配設された飾り部に、前記空間部に連通するように裏側に開口する収容部が凹設され、
前記遊技機構成部材を前記収容空間に配置することで前記空間部に裏側から挿入された不正行為検出手段の検出部が、前記収容部に位置するよう構成された請求項１〜３の何れか一項に記載の遊技機。
【請求項６】
前記遊技盤の前面に、前記遊技領域の外周を区画するレール部材が配設され、
前記遊技領域は、遊技球が流下する第１球流下経路および遊技球が流下する第２球流下経路を有し、
前記遊技盤には、前記第１球流下経路および第２球流下経路の少なくとも一方に、対応する球流下経路を流下する遊技球が入賞可能な入賞部が配置され、
前記空間部は、前記遊技盤における前記レール部材の内周より外側であって、前記入賞部が配置される球流下経路の外側に設けられている請求項１〜５の何れか一項に記載の遊技機。
【発明の詳細な説明】
【技術分野】
【０００１】
本発明は、不正行為を検出可能な手段を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の開口部を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置、大当り時等に開放する特別入賞装置や普通入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成される。
【０００３】
前記始動入賞装置、特別入賞装置および普通入賞装置等の各種入賞装置は、入賞口に入賞したパチンコ球を検出する球検出センサを備え、該球検出センサの球検出に基づいて賞球の払い出しや図柄変動演出等が行われるよう構成される。
【０００４】
近年では、前記入賞装置に配設されている球検出センサに向けて強力な電波を照射して誤検出させたり、強力な磁石を近づけて磁気によって誤検出させたりする不正行為を行って、賞球を不正に獲得したり図柄変動演出を不正に開始させる所謂ゴト行為が発生して問題となっている。そこで、遊技盤に電波や磁気を検出する不正検出手段を設け、該不正検出手段によって不正行為を検出することが行われている(例えば、特許文献１参照)。
【先行技術文献】
【特許文献】
【０００５】
【特許文献１】特開２００８−３００５号公報
【発明の概要】
【発明が解決しようとする課題】
【０００６】
ここで、前記球検出センサに対して電波や磁気はパチンコ機の前側から照射等されることから、該球検出センサに対して不正に作用する電波や磁気を精度よく検出するには、不正検出手段をパチンコ機のより前側に設ける必要があるが、従来の配設構造では不十分であり、より検出精度の高い配設構造が求められている。なお、感度の高い不正検出手段を用いることで検出精度を向上することはできるが、コストが嵩むと共に、球検出センサに影響を与えないような、例えば携帯電話やゲーム機等の電子機器から出力される電波や磁気を検出してしまい、不正行為があったと誤検出するおそれがある。
【０００７】
すなわち発明は、従来の技術に係る遊技機に内在する前記課題に鑑み、これを好適に解決するべく提案されたものであって、不正行為の検出精度を高めることができる遊技機を提供することを目的とする。
【課題を解決するための手段】
【０００８】
前記課題を解決し、所期の目的を達成するため、本願の請求項１に係る発明は、
遊技球が流下可能な遊技領域(23)が前側に画成された遊技盤(20)と、前記遊技盤(20)の裏側に配設され、該遊技盤(20)との間に収容空間(S)を画成する設置部材(22)とを備えた遊技機において、
前記収容空間(S)に配置された遊技機構成部材(75)と、
前記遊技機構成部材(75)に配設され、不正行為を検出する不正行為検出手段(92)と、
前記遊技盤(20)における遊技領域(23)外に設けられ、前記収容空間(S)に連通する空間部(91)とを備え、
前記不正行為検出手段(92)は、前記遊技機構成部材(75)を前記収容空間(S)に配置することで、前記空間部(91)に裏側から挿入されて該不正行為検出手段(92)の検出部(92a)が前記遊技盤(20)の裏面より前側に位置するよう構成されたことを要旨とする。
【０００９】
これによれば、不正行為検出手段の検出部を遊技盤の裏面より前側に位置させることで、遊技盤の前側からの不正行為を精度よく検出し得る。また、感度の低い不正行為検出手段であっても不正行為を精度よく検出し得るので、製造コストの上昇を抑制し得る。
【００１０】
請求項２に記載の発明では、
前記遊技盤(20)に、前記遊技領域(23)内に開口して遊技球が入賞可能な入賞部(54,55,56)が設けられ、
前記遊技機構成部材(75)における前記遊技盤(20)の裏面より後側に、前記入賞部(54,55,56)に入賞した遊技球が通過する球通路(78,79,80)と、該球通路(78,79,80)を通過する遊技球を検出する球検出センサ(66,67,74)とが設けられ、
前記遊技機構成部材(75)に設けられて前記球検出センサ(66,67,74)より前側に突出する設置部(94)に、前記不正行為検出手段(92)が配設されることを要旨とする。
これによれば、入賞部に入賞した遊技球を検出する球検出センサより前側に不正行為検出手段を配置したので、球検出センサを狙った不正行為を精度よく検出し得る。
【００１１】
請求項３に記載の発明では、
前記遊技機構成部材(75)は、前記遊技盤(20)の裏面に位置決め固定されることを要旨とする。
これによれば、遊技盤に設けられて不正行為で狙われる不正対象部位と不正行為検出手段との位置関係を適正に保つことができ、該不正対象部位に対する不正行為を精度よく検出し得る。
【００１２】
請求項４に記載の発明では、
前記不正行為検出手段(92)は、前記空間部(91)に収容されることを要旨とする。
これによれば、不正行為検出手段を空間部に収容することで、該不正行為検出手段を保護できる。
【００１３】
請求項５に記載の発明では、
前記空間部(91)は、前記遊技盤(20)の前後方向に開口するよう形成され、
前記空間部(91)の前側を覆うように前記遊技盤(20)の前面に配設された飾り部(25)に、前記空間部(91)に連通するように裏側に開口する収容部(100)が凹設され、
前記遊技機構成部材(75)を前記収容空間(S)に配置することで前記空間部(91)に裏側から挿入された不正行為検出手段(92)の検出部(92a)が、前記収容部(100)に位置するよう構成されたことを要旨とする。
これによれば、不正行為検出手段を遊技盤の前面より前側に位置させることで、遊技盤の前側からの不正行為をより精度よく検出し得る。
【００１４】
請求項６に記載の発明では、
前記遊技盤(20)の前面に、前記遊技領域(23)の外周を区画するレール部材(21)が配設され、
前記遊技領域(23)は、遊技球が流下する第１球流下経路(23a)および遊技球が流下する第２球流下経路(23b)を有し、
前記遊技盤(20)には、前記第１球流下経路(23a)および第２球流下経路(23b)の少なくとも一方に、対応する球流下経路(23b)を流下する遊技球が入賞可能な入賞部(54,55,56)が配置され、
前記空間部(91)は、前記遊技盤(20)における前記レール部材(21)の内周より外側であって、前記入賞部(54,55,56)が配置される球流下経路(23b)の外側に設けられていることを要旨とする。
これによれば、狙われ易い入賞部に対する不正行為を精度よく検出し得る。
【発明の効果】
【００１５】
本発明に係る遊技機によれば、不正行為の検出精度を高めることができる。
【図面の簡単な説明】
【００１６】
【図１】本発明の実施例に係るパチンコ機を示す正面図である。
【図２】実施例に係る遊技盤を示す概略正面図である。
【図３】実施例に係る遊技盤を後側から視た要部概略斜視図であって、第２の複合入球部および球通路ユニットを取り付けた状態で示している。
【図４】実施例に係る遊技盤を後側から視た要部概略斜視図であって、第２の複合入球部および球通路ユニットを分解した状態で示している。
【図５】実施例に係る球通路ユニットを前側から視た概略斜視図である。
【図６】図２のＡ−Ａ線位置で破断した要部断面図である。
【図７】図２のＢ−Ｂ線位置で破断した要部断面図である。
【図８】実施例に係る球通路ユニットのセンサ設置部を分解して前側から視た概略斜視図である。
【図９】実施例に係る球通路ユニットのセンサ設置部を分解して後側から視た概略斜視図である。
【図１０】実施例に係る第２の複合入球部と球通路ユニットとを組み立てた状態を示す概略背面図である。
【図１１】別実施例に係るパチンコ機の要部概略断面図である。
【発明を実施するための形態】
【００１７】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１８】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられている。遊技盤２０の裏側には、所定条件の成立(後述する第１の複合入球部５８の入球口(以下固定始動口という)５０ａまたは第２の複合入球部５９の入球口(以下各可変始動口という)５４ａ,５５ｂへのパチンコ球の入賞)を契機として演出用の図柄(以下飾図という)を変動表示させて図柄変動演出を行う演出実行手段としての表示装置(表示手段)１７が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記表示装置１７としては、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１９】
図１に示す如く、前記前枠１３には、窓部１３ａを囲繞するようランプ装置(発光手段)１８が配設されると共に、前枠１３の上部位置に、音声や効果音を出力可能なスピーカ(音出力手段)１９が配設されている。すなわち、前記ランプ装置１８に設けられたＬＥＤ等の発光体(図示せず)を点灯・点滅したり、前記スピーカ１９から適宜の音声を出力することで、前記表示装置１７で行われる各種の表示演出(図柄変動演出)に合わせて光による演出や音による演出を行い得るよう構成されている。また、前記上球受け皿１４は、前記前枠１３と別体に形成して中枠１２に対して開閉可能に組み付けるようにしてもよい。
【００２０】
また、前記前枠１３の右下方位置には、前記中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで前記打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａの回動量を操作することで、前記遊技盤２０に形成された第１球流下経路２３ａ(後述)をパチンコ球が流下する所謂「左打ち」と、該遊技盤２０に形成された第２球流下経路２３ｂ(後述)をパチンコ球が流下する所謂「右打ち(ゴム打ち)」とを打ち分け得るようになっている。
【００２１】
(遊技盤２０について)
前記遊技盤２０は、アクリルやポリカーボネート等の光透過性の合成樹脂材から所定板厚の略矩形状に形成された平板状の透明板(遊技領域形成部材)であって、該遊技盤２０の裏側に前記表示装置１７が着脱自在に組み付けられている。遊技盤２０の前側には、図２に示す如く、前面(盤面)に配設された略円形状の案内レール(レール部材)２１によりパチンコ球が流下可能(移動可能)な遊技領域２３が画成されて、前記打球発射装置から発射されたパチンコ球が当該遊技領域２３内に打ち出されることで遊技が行われるようになっている。また、遊技盤２０の裏側に、該遊技盤２０との間に収容空間Ｓを画成する設置部材２２が配設されており、該収容空間Ｓに、発光により演出を行う発光演出装置や、可動体の動作により演出を行う可動演出装置等の各種演出手段が設置される。なお、前記表示装置１７は、設置部材２２の裏側に取り付けられて、該設置部材２２に設けた開口部(可視部)２２ａおよび枠状装飾体３４(後述)の開口部３４ａを介して遊技盤２０の前側から視認可能に臨むよう構成される。なお、遊技盤２０は、ベニヤ材や合成樹脂材等の非光透過性の板部材の表面に装飾シール等を貼付したものであってもよい。
【００２２】
前記案内レール２１は、図２に示す如く、前記遊技盤２０の左下部から右上部に至るよう左方向に膨出する円弧状に形成された外レール２４と、遊技盤２０の右上部、右下部および左上部に至るよう右方向に膨出する円弧状に形成された内レール２５,２６とから構成されている。前記内レール２５,２６は、外レール２４の右上端部に連接して遊技盤２０の右上部から下部に亘って配設され、左端縁が右方に凹む円弧状に形成された盤面飾り部材(飾り部)２５と、遊技盤２０の下部から左上部に亘って配設されて盤面飾り部材２５の下端部に連接し、前記外レール２４の右方(内側)に離間して位置するレール材２６とから構成され、該外レール２４およびレール材２６により１個のパチンコ球が通過可能な発射通路２１ａが画成されている。ここで、前記内レールを構成するレール材２６は、前記遊技盤２０の左上部に開放端を臨ませて外レール２４との間に遊技領域２３に開口する打出し口２１ｂを画成するよう構成されて、前記打球発射装置から発射されたパチンコ球が発射通路２１ａの下方開口から飛翔して、レール材２６の開放端側の打出し口２１ｂから遊技領域２３内に打ち出されるようになっている。
【００２３】
図２に示す如く、前記外レール２４と盤面飾り部材２５との接続位置は、外レール２４および盤面飾り部材２５の曲率の相違から段差が形成されており、該段差部分に緩衝ゴム２７が配設されている。すなわち、前記外レール２４の終端位置に臨むように緩衝ゴム２７が配設されて、前記打球発射装置から発射されて外レール２４に沿って終端位置まで移動して緩衝ゴム２７に当接したパチンコ球を減勢し得るようになっている。なお、前記緩衝ゴム２７は、後述する第２球流下経路２３ｂに位置している。
【００２４】
前記遊技盤２０には、前後に貫通する装着口が前記遊技領域２３内に複数開設されて、各装着口に対して各種遊技盤設置部品が前側から取り付けられると共に、遊技領域２３の最下部位置には、該遊技領域２３に開口するアウト口２８が開設されており、遊技領域２３に打ち出されてアウト口２８に入球したパチンコ球が機外に排出されるよう構成される。また、前記遊技盤２０には、前記遊技領域２３内に多数の遊技釘２９が設けられると共に、後述する枠状装飾体３４の左側方に、遊技領域２３(第１球流下経路２３ａ)を流下するパチンコ球の接触に伴って回転する回転案内部材３０が回転自在に支持されており、遊技釘２９や回転案内部材３０との接触によりパチンコ球の流下方向が不規則に変化するよう構成されている。前記回転案内部材３０は、所謂「風車」とも称される部材であって、該回転案内部材３０の回転に伴ってパチンコ球を弾くように左右方向へ放出する部材である。
【００２５】
ここで、実施例の遊技盤２０には、前記表示装置１７の表示部１７ａが前面側から視認可能に臨む枠状装飾体３４や、遊技領域２３を流下するパチンコ球が入球可能な入球部等が前記遊技盤設置部品として配設されている。実施例の遊技盤２０には、複数の入球部５０,５１／５３,５４,５５を備えた複合入球部５８,５９を配設するよう構成されており、各入球部５０,５１／５３,５４,５５を個別に配設する構成に比べて、遊技盤２０に対する装着口の開設作業性や部材の配設作業性を高めている、なお、実施例では、第１の複合入球部５８および第２の複合入球部５９が遊技盤２０に配設されている。また、装着口の形成数は、遊技盤２０に対して取り付けられる各種遊技盤設置部品の個数や配設位置等により必要に応じて適宜決定される。
【００２６】
前記遊技盤２０には、図２に示す如く、前記案内レール２１で囲まれた遊技領域２３の略中央の大部分が開口する装着口に、前後に開口する開口部３４ａが形成された枠状装飾体３４が取り付けられ、該枠状装飾体３４の開口部３４ａを介して表示装置１７の表示部１７ａが遊技盤２０の前面側に臨むよう構成されている。また、遊技盤２０には、枠状装飾体３４の外側における遊技領域２３に臨む位置に、該遊技領域２３を流下するパチンコ球が入球可能な前記入球部５０,５１／５３,５４,５５を備えた複合入球部５８,５９および遊技領域２３を流下するパチンコ球が入球可能な特別入賞部(入球部)５２が配設されており、各入球部５０／５３,５４,５５,５２へのパチンコ球の入賞を契機として、所定数のパチンコ球が賞球として前記上下の球受け皿１４,１５に払い出されるよう構成されている。
【００２７】
(設置部材２２について)
前記設置部材２２は、前記遊技盤２０の外郭形状より僅かに小さな形状に形成された略矩形状の背面板２２ｂと、該背面板の外周縁部から前方に突出する画壁部２２ｃとから前方に開口した箱状に形成されて、該画壁部２２ｂの開口前端部を遊技盤２０の裏面に当接させた状態で、当該遊技盤２０と設置部材２２とがネジにより固定される(図６,図７参照)。そして、設置部材２２において遊技盤２０との間に画成される収容空間Ｓに、各種の発光演出装置や可動演出装置等の演出手段が設置されて、設置部材２２を基材とする１つのユニットとして扱い得るようになっている。また、前記設置部材２２の背面板２２ｂには、前記枠状装飾体３４の開口部３４ａと前後に整列する位置に、略矩形状の開口部２２ａが前後に開口するよう開設されると共に、該背面板２２ｂの裏側に前記表示装置１７が着脱自在に取り付けられて、該開口部２２ａを介して表示装置１７の表示部１７ａが遊技盤２０の前側に臨むようになっている。
【００２８】
(枠状装飾体３４について)
前記遊技盤２０に配設される前記枠状装飾体３４は、図２に示す如く、前記遊技盤２０に開設された前記装着口の内側に沿って延在する環状に形成された枠状基部(図示せず)と、該枠状基部に設けられて前記遊技盤２０の前面より前方に突出し、前記遊技領域２３と表示装置１７の表示部１７ａを区切って該遊技領域２３の内周を画成する庇状部３６と、該庇状部３６の後縁から外方に延出する薄板状の台板部３７とを備える。そして、前記枠状基部を装着口に挿入すると共に台板部３７を遊技盤２０の前面に当接した状態で、該台板部３７をネジ等の固定手段で遊技盤２０に固定することで、枠状装飾体３４が遊技盤２０に取り付けられる。ここで、前記庇状部３６は、図２に示す如く、前記枠状装飾体３４(枠状基部)の左側縁の略中間位置から上縁および右下縁に亘って延在するように設けられており、開口部３４ａ側、すなわち表示装置１７における表示部１７ａの前面側を横切ってパチンコ球が流下(落下)するのを規制している。
【００２９】
前記枠状装飾体３４には、図２に示す如く、前記開口部３４ａの下側に、ステージ３９が設けられると共に、開口部３４ａの左側に、遊技領域２３(第１球流下経路２３ａ)に開口して該遊技領域２３を流下するパチンコ球を取り込んでステージ３９に案内する球導入部４０が設けられ、該球導入部４０からステージ３９に通出されたパチンコ球は、ステージ３９上を左右に転動した後に、前記第１の複合入球部５８が配設されている遊技領域２３に排出される。またステージ３９の後端縁には、左右方向の全長に亘って上側に向けて所定高さで立上がる透明壁４１が設けられ、ステージ３９上を転動するパチンコ球が表示装置１７の表示部１７ａ側に移動するのを該透明壁４１で防止している。
【００３０】
前記遊技盤２０に画成された遊技領域２３は、前記枠状装飾体３４における庇状部３６の左側方をパチンコ球が流下する第１球流下経路２３ａと、該枠状装飾体３４における庇状部３６の上方から右側方をパチンコ球が流下する第２球流下経路２３ｂとに区画されている。これにより、操作ハンドル１６の操作レバー１６ａを回動操作して打球力を調節することで、打出し口２１ｂから打ち出されたパチンコ球が第１球流下経路２３ａを流下する遊技形態(左打ち)および当該パチンコ球が第２球流下経路２３ｂを流下する遊技形態(右打ち)の何れかを遊技者が任意に選択し得るようになっている。また、前記遊技領域２３は、前記枠状装飾体３４の下方位置において第１および第２球流下経路２３ａ,２３ｂが合流するようになっており、当該第１および第２球流下経路２３ａ,２３ｂが合流する領域に位置するよう前記アウト口２８が設けられている。
【００３１】
(入球部について)
図２に示すように、前記遊技盤２０には、遊技領域２３を流下するパチンコ球が入球可能な複数の入球部(具体的には、後述する固定始動入賞部５０、ゲート部５１、特別入賞部５２、普通入賞部５６,５７、可変作動入球部５３、可変始動入賞部５４,５５)が設けられており、パチンコ球が入球した入球部に応じた制御が実行されることで所定の遊技を行い得るようになっている。具体的に、実施例のパチンコ機１０では、前記入球部としての固定始動入賞部５０が前記第１球流下経路２３ａを流下するパチンコ球が入球可能な位置に設けられると共に、前記入球部としてのゲート部５１、特別入賞部５２、可変作動入球部５３および可変始動入賞部５４,５５が、前記第２球流下経路２３ｂを流下するパチンコ球が入球可能な位置に設けられている。なお、実施例の遊技盤２０には、前記第１および第２球流下経路２３ａ,２３ｂの夫々に位置するよう入球部としての普通入賞部５６,５７が配置されており、第１および第２球流下経路２３ａ,２３ｂを流下させたパチンコ球が普通入賞部５６,５７に入賞し得るようになっている。ここで、実施例のパチンコ機１０では、前記固定始動入賞部５０およびゲート部５１が前記第１の複合入球部５８に設けられると共に、前記可変作動入球部５３および可変始動入賞部５４,５５が前記第２の複合入球部５９として遊技盤２０に配設されている。
【００３２】
(第１の複合入球部５８について)
前記第１の複合入球部５８は、図２に示すように、前記遊技盤２０における枠状装飾体３４とアウト口２８との間に配設され、該第１の複合入球部５８に、第１球流下経路２３ａを流下するパチンコ球が入球可能な位置で入球口としての固定始動口５０ａが常に開口するよう前記固定始動入賞部(入賞部)５０が設けられると共に、第２球流下経路２３ｂを流下したパチンコ球が入球可能な位置で入球口としてのゲート入口５１ａが常に開口するよう前記ゲート部５１が設けられている。すなわち、第１の複合入球部５８の配設位置まで第１球流下経路２３ａを流下したパチンコ球が常時開口する固定始動入賞部５０の固定始動口５０ａに一定の確率で入球し得ると共に、第１の複合入球部５８の配設位置まで第２球流下経路２３ｂを流下したパチンコ球が常時開口するゲート部５１のゲート入口５１ａに一定の確率で入球し得るようになっている。
【００３３】
前記第１の複合入球部５８において、前記固定始動入賞部５０(固定始動口５０ａ)に入賞したパチンコ球は、パチンコ機１０の裏側に配設された制御手段(図示せず)に配線接続された固定始動検出センサ６０に検出されるよう構成されており、当該固定始動検出センサ６０がパチンコ球を検出して制御手段に検出信号が入力されることを契機として特図当り判定(当り判定)が実行されるよう設定されている。また、前記第１の複合入球部５８において、前記ゲート部５１(ゲート入口５１ａ)に入球したパチンコ球は、前記制御手段に配線接続されたゲートセンサ６１に検出されるよう構成されており、当該ゲートセンサ６１がパチンコ球を検出して制御手段に検出信号が入力されることを契機として普図当り判定(可変作動入球部５３の開放判定)が実行されるよう設定されて、当該普図当り判定の結果に基づいて可変作動入球部５３の作動口開閉部材６２(図７参照)を開放動作するようになっている。すなわち、第１の複合入球部５８は、パチンコ球の入賞(入球)を契機として特図当り遊技を生起させるかを判定する特図当り判定条件が成立する入球部(具体的には固定始動入賞部５０)と、パチンコ球の入球を契機として普図当り判定条件(可変作動入球部５３の作動口開閉部材６２を開放動作させるかを判定する開放判定条件)が成立する入球部(具体的にはゲート部５１)とを備えたユニット部材として構成されている。なお、実施例のパチンコ機１０では、前記固定始動入賞部５０にパチンコ球が入賞すること(固定始動検出センサ６０によるパチンコ球の検出)を契機として賞球の払出条件が成立するよう設定されており、固定始動検出センサ６０から制御手段への検出信号の入力に伴って所定数の賞球が払い出されるようになっている。
【００３４】
(第２の複合入球部５９について)
前記第２の複合入球部５９は、図２に示すように、前記第１球流下経路２３ａおよび第２球流下経路２３ｂの何れか一方に偏って位置するよう前記遊技盤２０に配設されて、当該第１および第２球流下経路２３ａ,２３ｂの何れかを流下するパチンコ球が入球可能な位置で作動口(入球口)５３ａおよび可変始動口(入球口)５４ａ,５５ａが開口するよう前記可変作動入球部５３および可変始動入賞部(入賞部)５４,５５が設けられている。実施例では、前記遊技盤２０における前記第１の複合入球部５８の右側方に位置するよう前記第２の複合入球部５９が前記第２球流下経路２３ｂに配設されて、当該第２球流下経路２３ｂを流下するパチンコ球のみが可変作動入球部５３および可変始動入賞部５４,５５に入球し得るよう構成されている。
【００３５】
ここで、前記可変作動入球部５３および可変始動入賞部５４,５５の夫々は、パチンコ球が入球可能な入球口５３ａ,５４ａ,５５ａを開閉部材６２,６３,６４により開閉可能に構成されており、開閉部材６２,６３,６４の開閉に伴ってパチンコ球の入賞確率が変化(可変)する可変入球部として構成されている。前記可変作動入球部５３は、作動口開閉部材６２にソレノイド６５が接続されて、当該ソレノイド６５の駆動に伴い作動口開閉部材６２が開閉動作する第１の可変入球部として構成されると共に、前記可変始動入賞部５４,５５は、当該可変作動入球部５３の作動口５３ａに入球したパチンコ球との接触に伴い作動して開閉部材６３,６４の開閉状態を切り替え可能な第２の可変入球部として構成されており、各対応の開閉部材６２,６３,６４の開閉状態に応じて、第２球流下経路２３ｂを流下するパチンコ球が可変作動入球部５３や可変始動入球部５４,５５に入球(入賞)し得るようになっている。すなわち、実施例の遊技盤２０には、電気的に作動される第１の可変入球部としての可変作動入球部５３と、該電気的に作動する第１の可変入球部に入球したパチンコ球により機械的に作動される第２の可変入球部としての可変始動入賞部５４,５５とが設けられている。
【００３６】
ここで、前記可変始動入賞部５４,５５に入球したパチンコ球は、前記制御手段に配線接続された可変始動検出センサ６６,６７に検出されるよう構成されており、当該球検出センサ６６,６７がパチンコ球を検出して制御手段に検出信号が入力されることを特図変動表示の開始条件および賞球の払出条件として設定されている。実施例の第２の複合入球部５９には、上下に離間する位置に複数(実施例では２つ)の可変始動入賞部５４,５５が設けられている。以後、上側の可変始動入賞部を第１可変始動入賞部５４、下側の可変始動入賞部を第２可変始動入賞部５５と指称して区別する場合がある。また、各可変始動入賞部の開閉部材６３,６４についても、第１可変始動入賞部５４の開閉部材を第１可変始動口開閉部材６３、第２可変始動入賞部５５の開閉部材を第２可変始動口開閉部材６４と指称して区別する場合がある。
【００３７】
前記遊技盤２０には、前記案内レール２１(具体的には盤面飾り部材２５)で内周が画成される前記遊技領領２３の第２球流下経路２３ｂに臨む位置に、前後に貫通する装着口６８が形成されている(図３,図４参照)。前記第２の複合入球部５９は、図４に示す如く、遊技盤２０に固定される本体部材５９ａの裏側に、前記可変作動入球部５３、第１および第２可変始動入賞部５４,５５の夫々が配設されている。そして、可変作動入球部５３、第１および第２可変始動入賞部５４,５５を装着口６８に前側から挿入すると共に本体部材５９ａを遊技盤２０の前面に当接した状態で、該本体部材５９ａをネジ等の固定手段で遊技盤２０に固定することで、第２の複合入球部５９が遊技盤２０に取り付けられる。また、装着口６８に挿入された可変作動入球部５３、第１および第２可変始動入賞部５４,５５の後部は、遊技盤２０の裏面より後方に延出して前記収容空間Ｓに収容されるよう構成される(図７参照)。
【００３８】
前記第２の複合入球部５９には、図１０に示す如く、前記可変作動入球部５３の作動口５３ａに入球したパチンコ球を、第１可変始動入賞部５４に案内する第１分岐通路６９および第２可変始動入賞部５５に案内する第２分岐通路７０が設けられると共に、両分岐通路６９,７０の分岐位置に通路振分部７１が設けられており、該通路振分部７１での通路振分により、作動口５３ａに入球したパチンコ球が第１または第２可変始動入賞部５４,５５の何れかへ誘導されるようになっている。すなわち、第２の複合入球部５９は、可変作動入球部５３、第１および第２可変始動入賞部５４,５５、通路振分部７１を備えた単一のユニット部材として遊技盤２０に着脱し得るよう構成されている(図４参照)。なお、実施例の第２の複合入球部５９は、図４,図１０に示す如く、本体部材５９ａの上部位置に可変作動入球部５３および通路振分部７１が配置され、本体部材５９ａの下部位置に第２可変始動入賞部５５が配置され、該可変作動入球部５３および第２可変始動入賞部５５の間に位置するように第１可変始動入賞部５４が配置されている。前記本体部材５９ａには、両分岐通路６９,７０の分岐位置より上流側に、作動口５３ａに入球したパチンコ球を検出する入球検出センサ(球検出センサ)９７が配設されている。入球検出センサ９７は前記制御手段に電気的に配線接続されており、当該入球検出センサ９７からの検出信号が入力されることで、作動口５３ａへのパチンコ球の入球が発生したことを制御手段が認識し得るようになっている。また、前記作動口５３ａにパチンコ球が入賞すること(入球検出センサ９７によるパチンコ球の検出)を契機として賞球の払出条件が成立するよう設定されており、入球検出センサ９７から制御手段への検出信号の入力に伴って所定数の賞球が払い出されるようになっている。
【００３９】
(特別入賞部５２について)
前記特別入賞部(特別入賞手段)５２は、図２に示すように、前記第１球流下経路２３ａおよび第２球流下経路２３ｂにおいて前記第２の複合入球部５９の配設側に偏って位置するよう設けられている。実施例では、前記第２球流下経路２３ｂに位置するよう前記特別入賞部５２が設けられて、当該第２球流下経路２３ｂを流下するパチンコ球のみが特別入賞部５２に入賞し得るよう構成されている。ここで、前記特別入賞部５２は、前記枠状装飾体３４の右側部に、前記第２球流下経路２３ｂに位置するよう設けられて、前記第２の複合入球部５９の配設位置より上流側に位置するよう構成されている。従って、前記特別入賞部５２に入賞することなく第２球流下経路２３ｂを流下したパチンコ球が第２の複合入球部５９に向けて移動することで、前記可変作動入球部５３や第１および第２可変始動入賞部５４,５５に入球し得るようになっている。
【００４０】
ここで、前記特別入賞部５２は、遊技領域２３に開口する入球口としての特別入賞口５２ａを開閉自在に閉成する特別入賞口開閉部材７２を備えており、駆動手段としての特別入賞ソレノイド(図示せず)の駆動に伴って特別入賞口開閉部材７２が閉鎖する閉鎖位置と開放する開放位置に変位するよう構成されている。また、前記特別入賞部５２には、前記特別入賞口５２ａに入球(入賞)したパチンコ球を検出する特別入賞検出手段としての特別入賞検出センサ７３が設けられて、当該特別入賞検出センサ７３が前記制御手段に配線接続されている。そして、前記特別入賞部５２にパチンコ球が入賞すること(特別入賞検出センサ７３によるパチンコ球の検出)を契機として賞球の払出条件が成立するよう設定されており、特別入賞検出センサ７３から制御手段への検出信号の入力に伴って所定数の賞球が払い出されるようになっている。ここで、前記特別入賞ソレノイドは、前記固定始動入賞部５０および可変始動入賞部５４,５５の何れかへのパチンコ球の入球を契機として特別入賞部５２を開放する大当り遊技が付与される場合に、大当り遊技の種類に応じた所定の開閉条件に従って制御手段によって駆動制御される。
【００４１】
すなわち、実施例に係るパチンコ機１０では、前記第１球流下経路２３ａをパチンコ球が流下する場合(左打ち遊技の場合)に、パチンコ球が第２球流下経路２３ｂを流下する場合に較べて、第１の複合入球部５８の固定始動入賞部５０(固定始動口５０ａ)にパチンコ球が入球(入賞)する可能性が高くなるよう構成されている。また、前記第２球流下経路２３ｂをパチンコ球が流下する場合(右打ち遊技の場合)に、パチンコ球が第１球流下経路２３ａを流下する場合に較べて、第１の複合入球部５８のゲート部５１(ゲート入口５１ａ)や第２の複合入球部５９の可変作動入球部５３(作動口５３ａ)、可変始動入賞部５４,５５(可変始動口５４ａ,５５ａ)、特別入賞部５２(特別入賞口５２ａ)にパチンコ球が入球(入賞)する可能性が高くなるよう構成されている。従って、操作レバー１６ａの回動操作により左打ち遊技および右打ち遊技に遊技者が能動的に切り替えることで、パチンコ球が入賞可能な入賞部を切り替え得るようになっている。
【００４２】
(普通入賞部５６,５７について)
図２に示すように、前記普通入賞部(入賞部)５６,５７は、前記遊技領域２３の左右下部位置において、パチンコ球が入賞(入球)可能な普通入賞口５６ａ,５７ａが上方に常時開口するよう前記遊技盤２０に設けられており、第１球流下経路２３ａを流下するパチンコ球および第２球流下経路２３ｂを流下するパチンコ球の夫々が一定の確率で普通入賞口５６ａ,５７ａに入賞し得るようになっている。すなわち、普通入賞部５６,５７は、パチンコ球の入賞確率が変化しない固定入賞部である。実施例では、遊技盤２０の第１球流下経路２３ａに３つの普通入賞部５６が設けられ、第２球流下経路２３ｂ(具体的には第２の複合入球部５９)に１つの普通入賞部５７が設けられている。また、第１球流下経路２３ａに設けられた各普通入賞部５６は、各普通入賞口５６ａに入賞したパチンコ球を合流して通過させる排出経路(図示せず)に、当該パチンコ球を検出する入賞検出手段としての普通入賞検出センサを備えると共に、前記第２の複合入球部５９の普通入賞部５７は、普通入賞口５７ａに入賞したパチンコ球を通過させる後述する普通入賞口排出通路８０(図１０参照)に、パチンコ球を検出する入賞検出手段としての普通入賞検出センサ７４を備えている。前記普通入賞検出センサ７４は、前記制御手段に配線接続されている。そして、前記普通入賞部５６,５７にパチンコ球が入賞すること(普通入賞検出センサ７４によるパチンコ球の検出)を契機として賞球の払出条件が成立するよう設定されており、普通入賞検出センサ７４から制御手段への検出信号の入力に伴って所定数の賞球が払い出されるようになっている。
【００４３】
(球通路ユニット７５について)
前記遊技盤２０の裏側には、図３,図４に示すように、前記第２の複合入球部５９の後方位置に球通路ユニット(遊技機構成部材)７５が設けられており、当該第２の複合入球部５９の入球口(作動口５３ａや可変始動口５４ａ,５５ａ、普通入賞口５７ａ)に入球したパチンコ球が球通路ユニット７５の球排出通路(球通路)を介して遊技盤２０の外部に排出されるよう構成されている。ここで、前記球通路ユニット７５は、前記第２の複合入球部５９の前記作動口５３ａに連通する作動口排出通路(球通路)７６,７７と、前記可変始動口５４ａ,５５ａに連通する始動口排出通路(球通路)７８,７９とが形成されており(図１０参照)、作動口５３ａに入球したパチンコ球が作動口排出通路７６,７７を介して遊技盤２０の外部に排出されると共に、各可変始動口５４ａ,５５ａに入賞したパチンコ球が始動口排出通路７８,７９を介して遊技盤２０の外部に排出されるようになっている。
【００４４】
前記作動口排出通路７６,７７は、図１０に示す如く、前記第２の複合入球部５９に形成された第１分岐通路６９に繋がる第１作動口排出通路７６と、当該第２の複合入球部５９に形成された第２分岐通路７０に繋がる第２作動口排出通路７７とが設けられており、各分岐通路６９,７０を通出したパチンコ球が対応する作動口排出通路７６,７７を介して排出される。また、球通路ユニット７５には、第２の複合入球部５９の前記普通入賞口５７ａに連通する普通入賞口排出通路(球通路)８０が形成されており、普通入賞口５７ａに入賞したパチンコ球が普通入賞口排出通路８０を介して遊技盤２０の外部に排出されるよう構成される。実施例では、第１分岐通路６９を介して第１可変始動入賞部５４に誘導されたパチンコ球によって、第１可変始動口開閉部材６３の開閉状態が切り替えられ、第２分岐通路７０および第２作動口排出通路７７を介して第２可変始動入賞部５５に誘導されたパチンコ球によって、第２可変始動口開閉部材６４の開閉状態が切り替えられるよう構成される。
【００４５】
前記球通路ユニット７５は、図３に示すように、前記複数の排出通路７６,７７,７８,７９,８０が形成された本体部材７５ａが、前記遊技盤２０に後側から取り付けられて、該遊技盤２０の裏側に着脱自在に位置決め固定されるよう構成される。具体的に、球通路ユニット７５は、本体部材７５ａの前面を遊技盤２０の裏面に当接した状態で、該本体部材７５ａをネジ等の固定手段で遊技盤２０に固定することで、球通路ユニット７５が遊技盤２０に取り付けられる。そして、遊技盤２０に前側から第２の複合入球部５９を取り付けると共に、該遊技盤２０に後側から球通路ユニット７５を取り付けた状態で、第２の複合入球部５９の各分岐通路６９,７０が対応する作動口排出通路７６,７７に連通し、各可変始動入賞部５４,５５(具体的には可変始動口５４ａ,５５ａ)が対応する始動口排出通路７８,７９に連通すると共に、普通入賞部５７(具体的には普通入賞口５７ａ)が対応する普通入賞口排出通路８０に連通するよう構成される。
【００４６】
ここで、図１０に示す如く、前記第１分岐通路６９に、該第１分岐通路６９を通過するパチンコ球を検出する第１通過検出センサ８１が設置されると共に、第１作動口排出通路７６に、該第１作動口排出通路７６を通過するパチンコ球を検出する第２通過検出センサ８２が設置されている。第１および第２通過検出センサ８１,８２の夫々は、制御手段に配線接続されており、当該各通過検出センサ８１,８２がパチンコ球を検出して制御手段に検出信号が入力されることで、各通過検出センサ８１,８２に対応した可変始動入賞部５４,５５の作動を、制御手段が把握し得るようになっている。
【００４７】
前記始動口排出通路７８,７９は、図１０に示すように、前記第１可変始動入賞部５４の第１可変始動口５４ａに繋がる第１始動口排出通路７８と、前記第２可変始動入賞部５５の第２可変始動口５５ａに繋がる第２始動口排出通路７９とが設けられており、各可変始動口５４ａ,５５ａに入賞したパチンコ球が対応する始動口排出通路７８,７９を介して排出されるようになっている。そして、前記第１可変始動入賞部５４に対応した第１可変始動検出センサ６６が前記第１始動口排出通路７８に設置されると共に、前記第２可変始動入賞部５５に対応した第２可変始動検出センサ６７が前記第２始動口排出通路７９に設置されている。また、前記普通入賞口排出通路８０に、当該普通入賞口排出通路８０を通過するパチンコ球を検出する普通入賞検出センサ７４が設けられている。前記球通路ユニット７５は、遊技盤２０の裏側に前記設置部材２２を取り付けることで、図６に示す如く、前記収容空間Ｓに配置される。また、球通路ユニット７５に設けられた各排出通路７６,７７,７８,７９,８０および各排出通路７８,７９,８０を通過するパチンコ球を検出する前記各検出センサ６６,６７,７４は、何れも遊技盤２０の裏面より後側に位置するよう構成される。
【００４８】
前記球通路ユニット７５には、該球通路ユニット７５および前記第２の複合入球部５９を遊技盤２０に設置した状態で、前記第１可変始動入賞部５４の配設位置に対応して、前後に開口する第１設置窓部８３が開設されるようになっている。また、前記球通路ユニット７５には、前記第２可変始動入賞部５５の配設位置に対応して、前後に開口する第２設置窓部８４が開設されている。前記第１設置窓部８３および第２設置窓部８４は、対応する可変始動入賞部５４,５５の外形よりも一回り大きな形状に形成されており、当該設置窓部８３,８４を介して可変始動入賞部５４,５５の後部が球通路ユニット７５の後方に露出するようになっている。
【００４９】
ここで、実施例のパチンコ機１０では、前記固定始動検出センサ６０、第１および第２可変始動検出センサ６６,６７の何れかがパチンコ球を検出した検出信号が制御手段へ入力されることを契機として賞球の払出条件が成立するよう設定されており、所定数の賞球を払い出させるよう制御手段が図示しない球払出装置を制御するよう設定されている。また、前記固定始動検出センサ６０、第１および第２可変始動検出センサ６６,６７によるパチンコ球の検出に伴って各種入賞情報(入球情報や各種乱数情報)を制御手段が取得し、この取得した情報に基づいて特図当り判定(当り判定)が行われるよう構成されている。そして、特図当り判定の結果に基づいて特図表示部において特図変動表示が実行されると共に、前記表示装置１７において図柄変動演出が実行されるようになっている。特図表示部での特図変動表示の結果、所定の当り表示となる図柄が確定停止表示されると共に、前記表示装置１７での図柄変動演出の結果として、該表示装置１７に所定の当り表示となる図柄組み合わせ(例えば同一飾図の３つ揃い等)で飾図が確定停止表示されることで、遊技者に有利な大当り遊技が付与され、大当り遊技の発生に伴って前記特別入賞部５２を所定の開放条件で開放して、遊技者が賞球を獲得し得る機会が与えられるよう構成されている。
【００５０】
(遊技情報表示部８５について)
前記盤面飾り部材２５には、制御手段で決定された各種の遊技情報を表示可能な遊技情報表示部８５が配設されており、該遊技情報表示部８５が、前記前枠１３の窓部１３ａを介してパチンコ機１０の前側から視認可能に構成されている。すなわち、前記盤面飾り部材２５は、遊技情報表示部８５を設置する部材としての機能を備えている。遊技情報表示部８５は、前記盤面飾り部材２５における上下方向の中央より下方位置(すなわち遊技盤２０における非遊技領域の下部位置、遊技盤２０の右下隅部)に形成された表示設置部８６に配設されている。遊技情報表示部８５には、前記固定始動口５０ａおよび可変始動口５４ａ,５５ａへの入賞を契機として行われる特図当り判定(当り判定)の結果を示す報知用の特別図柄(以下、特図という場合もある)を特定可能に表示する特図表示部や、前記ゲート入口５１ａをパチンコ球が通過するのを契機として行われる普図当り判定の結果を示す報知用の普通図柄(以下、普図という場合もある)を特定可能に表示する普図表示部等の、複数の表示部が設けられている。各表示部は、平板状に形成された表示基板８８に実装された複数の発光部としてのＬＥＤで構成され(図６,図７参照)、制御手段で制御された複数のＬＥＤの点灯・消灯・点滅のパターン(点灯パターン)により各種の情報を表示し得るよう構成されている。
【００５１】
前記表示設置部８６は、図６,図７に示す如く、前方へ開口するよう凹設された設置凹部８９と、該設置凹部８９を覆蓋する保護カバー９０とから構成され、該設置凹部８９と保護カバー９０との間の空間に、前記遊技情報表示部８５が設置されている。保護カバー９０は、設置凹部８９の前方開口の開口形状に整合する外形に形成されて、該設置凹部８９の前方開口に嵌合するよう構成されており、該保護カバー９０を設置凹部８９に取り付けた状態で、当該保護カバー９０の前面が盤面飾り部材２５の前面と略同一面上に位置するようになっている。また、保護カバー９０は光透過性に形成されて、該保護カバー９０を透して各表示部の点灯パターンを視認し得るよう構成されている。なお、前記表示基板８８は非光透過性に形成されており、該表示基板８８の後方は前側から見えないよう構成される。
【００５２】
前記遊技盤２０には、図３,図４,図６,図７に示す如く、前記盤面飾り部材２５における表示設置部８６に重なる位置に、前後方向に開口する空間部９１が設けられ、該空間部９１は前記収容空間Ｓに連通している。すなわち、空間部９１は、遊技盤２０における前記遊技領域２３の外側(遊技領域外)である非遊技領域(パチンコ球が移動しない領域)に設けられている。より具体的に、空間部９１は、前記遊技盤２０における前記案内レール２１の内周より外側であって、前記第２球流下経路２３ｂの右下部外側(外側)に設けられている。
【００５３】
(センサ設置部９４について)
前記球通路ユニット７５には、パチンコ機１０に対して行われる不正行為を検出する不正行為検出手段としての不正検出装置９２,９３が配設されている。具体的に、球通路ユニット７５の本体部材７５ａには、前記遊技盤２０に形成されている前記空間部９１に対応する位置に、センサ設置部(設置部)９４が設けられており、該センサ設置部９４に第１不正検出装置９２が着脱自在に取着されている。センサ設置部９４は、図８,図９に示す如く、後方に開口する収容室９５ａを画成する収容部材９５と、該収容室９５ａの後方開口を覆うカバー部材９６とからなり、収容室９５ａに第１不正検出装置９２を収容した状態で、収容部材９５の後側にカバー部材９６を取り付けることで、第１不正検出装置９２がセンサ設置部９４に収容状態で取着されるよう構成される。第１不正検出装置９２として、実施例では後述する不正電波を検出する電波センサが採用されている。
【００５４】
前記センサ設置部９４は、図５,図６に示す如く、本体部材７５ａの前面より前方に突出するように設けられており、該本体部材７５ａを遊技盤２０に裏側から取り付けることで、センサ設置部９４が前記空間部９１に裏側から挿入されて、該センサ設置部９４が空間部９１内に臨むよう構成される。具体的に、図６,図７に示す如く、センサ設置部９４に取着されている第１不正検出装置９２の検出部９２ａ(後述)が空間部９１に位置して(収容されて)、該検出部９２ａは遊技盤２０の裏面より前側に位置するようになっている。すなわち、空間部９１に収容される第１不正検出装置９２は、前記案内レール２１(具体的には盤面飾り部材２５)で画成される遊技領域２３の外側(遊技領域外)である非遊技領域に位置している。また、センサ設置部９４は、空間部９１に収容された状態で、前記遊技情報表示部８５における表示基板８８の後側に位置して、該センサ設置部９４は表示基板８８によって前側から視認し得ないように隠されている。すなわち、第１不正検出装置９２(センサ設置部９４)の存在は、遊技者が遊技盤２０の前側から確認できないようになっている。
【００５５】
(電波による不正行為について)
ここで、前述した固定始動検出センサ６０、ゲートセンサ６１、入球検出センサ９７、第１および第２可変始動検出センサ６６,６７、特別入賞検出センサ７３および普通入賞検出センサ７４等の各球検出センサは、いわゆる誘導式近接スイッチであって、実施例のパチンコ機１０では、何れも同一のセンサが採用されている。各球検出センサ６０,６１,９７,６６,６７,７３,７４は、発振回路等を備えたセンサ本体とコイルが設けられてパチンコ球が通過可能な球通過口とを基本構成としている。球検出センサ６０,６１,９７,６６,６７,７３,７４は、パチンコ球を検出していない状態(パチンコ球が球通過口を通過していない状態)では、発振回路が発振して、高レベルの信号(以下、ハイレベル信号という)を出力するように設定されている。一方、球検出センサ６０,６１,９７,６６,６７,７３,７４は、パチンコ球を検出している状態(パチンコ球が球通過口を通過している間)では、発振回路の発振が停止または減衰して、低レベルの信号(以下、ローレベル信号という)を出力するように設定されている。そして、制御手段は、球検出センサ６０,６１,９７,６６,６７,７３,７４からの出力信号がハイレベル信号からローレベル信号に切り換わったときにパチンコ球を１カウントして賞球を払い出するよう構成される。
【００５６】
ところが、この球検出センサ６０,６１,９７,６６,６７,７３,７４に電波を放射して、該球検出センサ６０,６１,９７,６６,６７,７３,７４の出力信号を強制的に変更する不正行為(以下、不正電波行為という)が行われることがある。一般的に、この不正電波行為は、不正行為者が遊技盤２０の斜め下方に電波発生器を隠し持ち、複合入球部５８,５９や特別入賞部５２等が設けられる遊技盤２０の下部へ向けて電波を電波発生器から放射して行われる。この電波発生器から放射される電波を、パチンコ球が球通過口を通過する間に球検出センサ６０,６１,９７,６６,６７,７３,７４が浴びると、該球検出センサ６０,６１,９７,６６,６７,７３,７４は、断続的な発振があったと誤検出してしまう。その結果、球検出センサ６０,６１,９７,６６,６７,７３,７４は、ローレベル信号およびハイレベル信号を繰り返し出力し、前記制御手段は、ハイレベル信号からローレベル信号に切り換わる度にパチンコ球をカウントすることとなる。そして、制御手段は、１個のパチンコ球が球通過口を通過したのにも拘わらず、複数個分のカウントをして、多くの賞球を払い出したり、特図当り判定や普図当り判定が行われてしまう虞がある。そこで、実施例のパチンコ機１０では、このような不正電波行為を検出するべく、前記センサ設置部９４に前記第１不正検出装置(不正行為検出手段)９２が設置されている。
【００５７】
(第１不正検出装置９２について)
前記第１不正検出装置９２は、図６,図７に示す如く、電波を検出可能な検出部９２ａと、該検出部９２ａを被覆するケース体９２ｂとから基本的に構成されており、該検出部９２ａが前記制御手段に電気的に接続されている。検出部９２ａは、異常レベルの電波(以後、不正電波という)を検出していない正常時には、前記制御手段にローレベル信号を出力し、異常レベルの電波を検出した異常時には制御手段にハイレベル信号を出力するよう構成される。すなわち、制御手段は、第１不正検出装置９２からの信号がローレベル信号からハイレベル信号に切り換わったときに、不正電波行為が発生したと判定するようになっている。そして、制御手段は、不正電波行為を検出した場合は、不正行為の発生を、パチンコ機１０が備える表示装置１７、ランプ装置１８、スピーカ１９等によって報知するよう構成される。
【００５８】
前記第１不正検出装置９２が取着された第２の複合入球部５９を遊技盤２０に取り付けた状態で、該第１不正検出装置９２は、図２に示す如く、前記特別入賞部５２、可変作動入球部５３、可変始動入賞部５４,５５および普通入賞部５７の下方に位置している。そして、第１不正検出装置９２による不正電波の検出範囲は、前記特別入賞部５２、可変作動入球部５３、可変始動入賞部５４,５５および普通入賞部５７に対応する球検出センサ７３,９７,６６,６７,７４の配設位置をカバーし得るように設定されている。すなわち、多数の球検出センサ７３,９７,６６,６７,７４が裏側に配置されている遊技盤２０の右側の領域(第２球流下経路２３ｂ)に対して不正電波が放射された場合に、１つの第１不正検出装置９２で検出し得るようになっている。また、実施例では、第１不正検出装置９２は、前記固定始動入賞部５０およびゲート部５１の側方(右側方)に位置しており、該固定始動入賞部５０およびゲート部５１に対応する球検出センサ６０,６１の配設位置についても検出範囲に含まれるようになっている。
【００５９】
(第２不正検出装置９３について)
前記球通路ユニット７５の本体部材７５ａには、図１０に示す如く、不正行為検出手段としての第２不正検出装置９３が配設されている。具体的に第２不正検出装置９３は、本体部材７５ａの裏側において、前記第１可変始動検出センサ６６、第２可変始動検出センサ６７および普通入賞検出センサ７４に近接する位置に設けられている。より具体的には、第２不正検出装置９３は、３つのセンサ６６,６７,７４を仮想線で結んだ領域の内側に位置するよう設定される。実施例では、第２不正検出装置９３として、磁気を検出する磁気センサが採用されており、前記領域の内側に配置した第２不正検出装置９３による磁気の検出範囲は、３つのセンサ６６,６７,７４の配設位置をカバーし得るよう設定されている。
【００６０】
(実施例の作用)
次に、前述のように構成された実施例に係るパチンコ機１０の作用につき説明する。
【００６１】
前記前枠１３の前面側に設けられた前記操作ハンドル１６の操作レバー１６ａを遊技者が回転操作すると、前記打球発射装置から発射されたパチンコ球が前記遊技盤２０に設けた案内レール２１により画成された発射通路２１ａおよび打出し口２１ｂを介して遊技領域２３内に打ち出される。このとき、前記操作レバー１６ａの回動量に応じてパチンコ球の打ち出し位置が変化し、打ち出し位置に応じて遊技領域２３の第１球流下経路２３ａまたは第２球流下経路２３ｂをパチンコ球が流下する。
【００６２】
前記遊技盤２０の遊技領域２３(第１球流下経路２３ａ)に打ち出されたパチンコ球が固定始動入賞部５０の固定始動口５０ａへ入賞することを契機とした特図当り判定の当選、、遊技盤２０の遊技領域２３(第２球流下経路２３ｂ)に打ち出されたパチンコ球が第１または第２可変始動入賞部５４,５５の可変始動口５４ａ,５５ａへ入賞することを契機とした特図当り判定の当選に伴って、大当り遊技が付与される。大当り遊技では、前記特別入賞部５２の特別入賞口５２ａを開閉する特別入賞口開閉部材７２が所定条件で開放制御され、多くの賞球が獲得可能となる。また、遊技盤２０の遊技領域２３(第２球流下経路２３ｂ)に打ち出されたパチンコ球がゲート部５１を通過すると、前記ゲートセンサ６１によるパチンコ球の検出を契機として普図当り判定が実行され、当該普図当り判定が当りの場合に可変作動入球部５３の作動口開閉部材６２が開放動作することで、作動口５３ａへのパチンコ球の入球が可能となる。そして、前記通路振分部７１での通路振分により、作動口５３ａに入球したパチンコ球が第１または第２可変始動入賞部５４,５５の何れかへ誘導されることで、パチンコ球が誘導された第１または第２可変始動入賞部５４,５５の可変始動口開閉部材６３,６４が開放作動されることで、対応する可変始動口５４ａ,５５ａへのパチンコ球の入賞が可能となる。
【００６３】
(不正行為時の作用について)
次に、不正電波行為が行われた場合の作用について、説明する。なお、前記第１不正検出装置９２は、不正電波行為が行われていない正常時ではローレベル信号が出力されている。従って、正常時においては、制御手段にローレベル信号が入力され続ける。不正電波行為が発生すると、不正電波を検出した第１不正検出装置９２からハイレベル信号が出力され、制御手段は、第１不正検出装置９２からの信号がローレベル信号からハイレベル信号に切り換わったときに、不正電波行為が発生したと判定する。
【００６４】
実施例のパチンコ機１０では、前記球通路ユニット７５に設けた第１不正検出装置９２は、図６,図７に示す如く、該第１不正検出装置９２の検出部９２ａを遊技盤２０の裏面より前側に位置させているので、遊技盤２０の前側からの不正電波による不正行為を精度よく検出し得る。また、第１不正検出装置９２を不正電波が放射される側(パチンコ機１０の前側)に近接するように位置させることで検出精度が向上するので、第１不正検出装置９２として許容し得る検出感度の値を低くすることができる。すなわち、コストの低い第１不正検出装置９２を採用することができ、製造コストの上昇を抑制し得る。また、第１不正検出装置９２を遊技盤２０の裏面より前側に位置させるために、該遊技盤２０には前後方向に開口する空間部９１を設けているが、該空間部９１に臨む第１不正検出装置９２は、前記表示基板８８で隠れて前側から見えないようになっているので、不正行為者に第１不正検出装置９２の存在を悟らせないようにすることができる。また、第１不正検出装置９２を隠す部材として遊技情報表示部８５の表示基板８８を利用しているので、該第１不正検出装置９２を隠す専用の部材を必要とせず、部品点数が増加して製造コストが上昇するのを抑えることができる。
【００６５】
前記球通路ユニット７５において、前記第２の複合入球部５９に設けられた第１および第２可変始動入賞部５４,５５の可変始動口５４ａ,５５ａや普通入賞部５７の普通入賞口５７ａに入賞したパチンコ球を検出する球検出センサ６６,６７,７４の配設位置より前側に第１不正検出装置９２を配設しているので、各球検出センサ６６,６７,７４を狙った遊技盤２０の前側からの不正電波による不正行為を精度よく検出することができる。また、第１不正検出装置９２は、複数の入球部(入球部)５４,５５,５７が位置している第２球流下経路２３ｂに近接して配置してあるので(図２参照)、狙われ易い入球部５４,５５,５７に対する不正行為を精度よく検出し得る。
【００６６】
ここで、不正行為者は、遊技盤２０の前側からは球検出センサ６６,６７,７４の配設位置を把握できないので、遊技盤２０の前側に配設されている各種の入球部５４,５５,５７の配置関係から球検出センサ６６,６７,７４の配設位置を予想し、その予想位置に向けて不正電波を放射することが考えられる。実施例では、前記入球部５４,５５,５７が設けられる第２の複合入球部５９が前側に固定された遊技盤２０に対し、前記第１不正検出装置９２が配設されている球通路ユニット７５を裏側に固定しているので、各入球部５４,５５,５７と第１不正検出装置９２との位置関係は適正に保たれている。従って、入球部５４,５５,５７の位置から予想した不正対象部位に対する不正行為を第１不正検出装置９２で精度よく検出することができる。しかも、第１不正検出装置９２は、前記球検出センサ６６,６７,７４が配設される球通路ユニット７５に設けられているので、該第１不正検出装置９２と球検出センサ６６,６７,７４との位置関係も適正に保たれており、球検出センサ６６,６７,７４に対する不正行為を精度よく検出し得る。また、第１不正検出装置９２は、遊技盤２０に設けられた空間部９１に収容されているので、該第１不正検出装置９２を保護することができる。
【００６７】
また、実施例のパチンコ機１０では、前記球通路ユニット７５に、磁気センサである第２不正検出装置９３を設けているので、各球検出センサ６６,６７,７４に対する磁気による不正行為も検出することができる。
【００６８】
(別実施例について)
図１１は、別実施例に係るパチンコ機の要部を示すものであって、該別実施例については、前記実施例と異なる部分についてのみ説明し、実施例と同一部位や部材には同じ符号を付すものとする。
【００６９】
前記遊技盤２０の前側に配設される前記盤面飾り部材２５には、前記空間部９１の前側を覆う部位に、裏側に開口する収容部１００が凹設されて、該収容部１００と空間部９１とが連通するよう構成される。そして、前記球通路ユニット７５を遊技盤２０の裏面に取り付けることで、前記空間部９１に裏側から挿入された第１不正検出装置９２の検出部９２ａが、前記収容部１００に位置するよう構成されている。すなわち、第１不正検出装置９２の検出部９２ａは、遊技盤２０の前面より前側に位置するので、当該第１不正検出装置９２によって遊技盤２０の前側からの不正電波による不正行為をより精度よく検出することができる。また、収容部１００を画成する盤面飾り部材２５の前壁は不透明に構成されて、内部の第１不正検出装置９２が前側から視認不能に構成されている。なお、球通路ユニット７５に設けられるセンサ設置部９４の構成は実施例と同じであって、該球通路ユニット７５の前面から前側への突出寸法が異なっているだけである。
【００７０】
ここで、別実施例では、前記空間部９１に対応する前側に遊技情報表示部８５が配設されておらず、該遊技情報表示部８５を配設しないことで生じたスぺースを利用して第１不正検出装置９２をパチンコ機１０のより前側に位置させ得るようにしているので、大幅な設計変更を行う必要もなく、製造コストの上昇を抑えることができる。
【００７１】
(変更例)
本願は前述した実施例の構成に限定されるものではなく、その他の構成を適宜に採用することができる。
(1) 実施例では、第１不正検出装置(不正行為検出手段)が配設される球通路ユニット(遊技機構成部材)を遊技盤の裏面に固定するよう構成したが、該球通路ユニットを設置部材に配設する構成を採用し得る。すなわち、遊技盤の裏側に設置部材を取り付けることで、球通路ユニットに設けた第１不正検出装置が遊技盤の空間部に収容されるようにすればよい。
(2) 実施例では、遊技盤に設ける空間部を前後に開口するようにしたが、遊技盤の裏側に開口する凹状の空間部としてもよい。
(3) 実施例では、第１不正検出装置の検出部が不正電波の検出状態でハイレベル信号を出力し、不正電波の非検出状態で検出部がローレベル信号を出力する構成とし、ハイレベル信号が出力されたときに制御手段が不正電波行為の発生を判定する構成とした。しかしながら、検出部が出力する信号としては、検出状態および非検出状態に対応した２種類の信号であれば、如何なる信号であってもよい。例えば、実施例とは反対に、検出状態でローレベル信号を出力し、非検出状態でハイレベル信号を出力する構成としてもよい。この場合、ローレベル信号が入力されたときに、制御手段は不正電波行為が発生したと判定する。
(4) 実施例では、第１不正検出装置(不正行為検出手段)として電波センサを挙げたが、該第１不正検出装置(不正行為検出手段)を磁気センサとしてもよい。すなわち、磁気により検出部が出力する信号が変化する構成として、磁気によって、球検出センサを誤作動させる行為を検出し得るようにしてもよい。
【００７２】
(5) 実施例では、第１不正検出装置(不正行為検出手段)の全体を空間部に収容するよう構成したが、少なくとも検出部が空間部に臨んで、該検出部が遊技盤の裏面より前側に位置するようにすればよい。すなわち、第１不正検出装置を構成するケース体の一部が遊技盤の裏面より後側に位置するものであってもよい。
(6) 実施例では、第１不正検出装置を、第２球流下経路の外側(右外側)に設ける場合で説明したが、第１球流下経路に複数の入賞部が設けられる盤面構成等、第１球流下経路側が不正行為で狙われ易い構成であれば、該第１不正検出装置を第１球流下経路の外側(左外側)に設ける構成を採用し得る。また、第１および第２球流下経路に入賞部が設けられる構成において、第１球流下経路の外側(左外側)および第２球流下経路の外側(右外側)の両方に不正検出装置(不正行為検出手段)を設けるようにしてもよい。すなわち、第１および第２球流下経路の少なくとも一方の球流下経路の外側に、不正検出装置(不正行為検出手段)を設けるようにすればよい。
(7) 実施例では、複数の入球部を設けた複合入球部の裏側に配置される球通路ユニットに第１不正検出装置(不正行為検出手段)が配設したが、複数の入球部が夫々独立して遊技盤に取り付けられる構成であっても、これら複数の入球部に入球(入賞)したパチンコ球を通出する球通路が設けられた球通路ユニットに第１不正検出装置(不正行為検出手段)を設けるようにすることができる。
(8) 実施例では、球通路が形成された遊技機構成部材に第１不正検出装置(不正行為検出手段)を設けるようにしたが、該第１不正検出装置(不正行為検出手段)が設けられる遊技機構成部材は、球通路が形成される部材に限らず、発光演出装置や可動演出装置等の演出手段が取り付けられる部材等であってもよい。
(9) 実施例では、センサ設置部として、第１不正検出装置(不正行為検出手段)の全体を収容室に収容する構成としたが、一部が露出するものであってもよい。また、例えば、実施例のカバー部材のみからセンサ設置部を構成し、該カバー部材の前面に第１不正検出装置(不正行為検出手段)をネジやフック等の固定手段で固定する構成を採用し得る。
(10) 遊技機としては、パチンコ機に限られるものではなく、アレンジボール機やパチンコ球を用いたスロットマシン等、その他各種の遊技機であってもよい。
【符号の説明】
【００７３】
２０ 遊技盤
２１ 案内レール(レール部材)
２２ 設置部材
２３ 遊技領域
２３ａ 第１球流下経路
２３ｂ 第２球流下経路
２５ 盤面飾り部材(飾り部)
５４ 第１可変始動入賞部(入賞部)
５５ 第２可変始動入賞部(入賞部)
５６ 普通入賞部(入賞部)
６６ 第１可変始動検出センサ(球検出センサ)
６７ 第２可変始動検出センサ(球検出センサ)
７４ 普通入賞検出センサ(球検出センサ)
７５ 球通路ユニット(遊技機構成部材)
７８ 第１始動口排出通路(球通路)
７９ 第２始動口排出通路(球通路)
８０ 普通入賞口排出通路(球通路)
９１ 空間部
９２ 第１不正検出装置(不正行為検出手段)
９２ａ 検出部
９４ センサ設置部(設置部)
１００ 収容部
Ｓ 収容空間
【図１】
2016214417.tif 000003
【図２】
2016214417.tif 000004
【図３】
2016214417.tif 000005
【図４】
2016214417.tif 000006
【図５】
2016214417.tif 000007
【図６】
2016214417.tif 000008
【図７】
2016214417.tif 000009
【図８】
2016214417.tif 000010
【図９】
2016214417.tif 000011
【図１０】
2016214417.tif 000012
【図１１】
2016214417.tif 000013